(57)【要約】【課題】接着材を使用することなく折板屋根材の内側に断熱材を簡単に取り付けることができ、施工性に優れた折板屋根材の断熱材の支持構造を提供する。【解決手段】幅方向に複数の山部２〜４を有し各山部の頂部に長手方向に沿って母屋に立設されたタイトフレームに固定されるはぜ部２ｃ〜４ｃが形成された折板屋根材１の内側に断熱材８を取り付けて押さえピン１１により支持する折板屋根材の断熱材支持構造であって、押さえピンは断熱材を下方から貫通し基端部に断熱材の下面を支持する支持部１２ｂが形成された支持部材１２と、支持部材の上端部に設けられ先端部が略矢尻状をなしはぜ部３ｃに下方から挿入されて逸脱不能に係止される係止部材１３とからなり、断熱材を折板屋根材に支持する構成としている。【選択図】図１
2008002129.tif 000002
【特許請求の範囲】
【請求項１】
幅方向に複数の山部を有し各山部の頂部に長手方向に沿って母屋に立設されたタイトフレームに固定されるはぜ部が形成された折板屋根材の内側に断熱材を取り付けて押さえピンにより支持する折板屋根材の断熱材支持構造であって、
前記押さえピンは前記断熱材を下方から貫通し基端部に前記断熱材の下面を支持する支持部が形成された支持部材と、該支持部材の上端部に設けられ先端部が略矢尻状をなし前記はぜ部に下方から挿入されて逸脱不能に係止される係止部材とからなり、前記断熱材を前記折板屋根材に支持することを特徴とする折板屋根材の断熱材支持構造。
【請求項２】
前記係止部材は板面の両側に上部から斜め下方に拡開するように前記はぜ部の長手方向に沿って複数の係止爪が形成され、前記はぜ部の内側面に係止されることを特徴とする、請求項１に記載の折板屋根材の断熱材支持構造。
【請求項３】
前記係止部材はばね性を有する金属板の両側に上部から斜め下方に拡開するように前記はぜ部の長手方向に沿って交互に切り起こして複数の係止爪が形成され、前記はぜ部の内側面に係止されることを特徴とする、請求項１又は請求項２に記載の折板屋根材の断熱材支持構造。
【請求項４】
前記支持部材は樹脂部材により形成されていることを特徴とする、請求項１乃至請求項３の何れかに記載の折板屋根材の断熱材支持構造。
【請求項５】
前記折板屋根材は３つの山部を有し、両側の２つの山部がそれぞれはぜ部の下部から切り欠かれて山部の片側半分をなす形状とされ、隣り合う折板屋根材のはぜ部同士が重ね合わされて山部を形成して接続可能とされ、前記断熱材は中央の山部のはぜ部に前記押さえピンにより支持されることを特徴とする、請求項１乃至請求項４の何れかに記載の折板屋根材の断熱材支持構造。
【請求項６】
前記折板屋根材の中央の山部のはぜ部は下側が長手方向に沿って僅かに開口する略円筒形状をなし、両側の山部のはぜ部は円筒の外側略下半分が切り欠かれた形状をなしていることを特徴とする、請求項５に記載の折板屋根材の断熱材支持構造。
【請求項７】
両端にはぜ部を有する折板屋根材の内側に断熱材を取り付けて支持する折板屋根材の断熱支持構造であって、
前記断熱材は収納袋に断熱部材が収納された略マット状をなし、前記折板屋根材の内側に取り付けられて両側部に形成された耳部がそれぞれ前記はぜ部に貼着固定されていることを特徴とする折板屋根材の断熱材支持構造。
【請求項８】
前記断熱材は、ポリエチレンフィルムで形成され一側面に通気用の小孔が多数形成された収納袋にグラスウール部材が収納されて形成されていることを特徴とする、請求項７に記載の折板屋根材の断熱材支持構造。
【発明の詳細な説明】
【技術分野】
【０００１】
本発明は、折板屋根材の内側に断熱材を取り付けて支持する折板屋根材の断熱材支持構造に関する。
【背景技術】
【０００２】
折板（折版）屋根材は、低コストで大きな屋根面積を葺くことができるために郊外の大型店舗等の建造物に多く採用されている。この折板屋根材は、金属板により形成されているために内側裏面に結露防止、室内で発生する音の反射防止、更には夏の直射日光による室内の高温、冬の寒さによる室内の低温に対処するべく断熱効果を得るために断熱材を取り付ける必要がある。
【０００３】
折板屋根材の内側（裏面）に断熱材を取り付ける方法として、帯状の支持部材で折板の裏面に接着している断熱材を室内側から支持する構造（例えば、特許文献１参照）、両端にはぜ部を有する金属折板と金属折板の屋内側に裏張りした断熱材と金属折板のはぜ部を屋内側に露出させないガスケット部材とを備えて断熱折板屋根材を形成した構造（例えば、特許文献２参照）、或いは折版屋根板の裏面の凹凸形状に合致する凹凸表面を持つ形の断熱ボードを予め成形加工し、この固形状の成形品たる断熱ボードの凹凸表面側を折版屋根板の裏面に張設した構造（例えば、特許文献３参照）等種々のものが提案されている。
【特許文献１】特開平６−２９４１８３号公報（３−４頁、図１）
【特許文献２】特開２０００−１４５０４３号公報（３−５頁、図１）
【特許文献３】実用新案登録第２５４６５７８号公報（４頁、第１図）
【発明の開示】
【発明が解決しようとする課題】
【０００４】
しかしながら、折板屋根材の内側に断熱材を裏張り（接着）する構造においては熱や結露等による経年変化に起因して剥がれる可能性がある。また、帯状の支持部材で折板の裏面に接着している断熱材を室内側から支持する構造や、折版屋根板の裏面の凹凸形状に合致する凹凸表面を持つ形の断熱ボードを予め成形加工し、この断熱ボードの凹凸表面側を折版屋根板の裏面に張設する構造は、組付性が悪く手間が掛かる等の問題がある。
【０００５】
本発明の目的は、接着材を使用することなく折板屋根材の内側に断熱材を簡単に取り付けることができ、施工性に優れた折板屋根材の断熱材の支持構造を提供することにある。
【課題を解決するための手段】
【０００６】
上記目的を達成するために本発明に係る折板屋根材の断熱材支持構造は、幅方向に複数の山部を有し各山部の頂部に長手方向に沿って母屋に立設されたタイトフレームに固定されるはぜ部が形成された折板屋根材の内側に断熱材を取り付けて押さえピンにより支持する折板屋根材の断熱材支持構造であって、前記押さえピンは前記断熱材を下方から貫通し基端部に前記断熱材の下面を支持する支持部が形成された支持部材と、該支持部材の上端部に設けられ先端部が略矢尻状をなし前記はぜ部に下方から挿入されて逸脱不能に係止される係止部材とからなり、前記断熱材を前記折板屋根材に支持することを特徴としている。
【０００７】
折板屋根材の内側（下側）に断熱材を当接させて配置し、断熱材の下面から押さえピンの支持部材を挿通して上端部に設けられている略矢尻状の係止部材を折板屋根材の山部頂部に形成されているはぜ部に挿入して係止する。この状態において支持部材の基端部に形成されている支持部が断熱材の下面に当接している。これにより、折板屋根材の内側に断熱材を支持する。断熱材は、押さえピンにより折板屋根材に支持することができるために施工現場で簡単に組み付けることができ、搬送性、作業性が向上する。
【０００８】
また、本発明の請求項２に記載の折板屋根材の断熱材支持構造は、請求項１に記載の折板屋根材の断熱材支持構造において、前記係止部材は板面の両側に上部から斜め下方に拡開するように前記はぜ部の長手方向に沿って複数の係止爪が形成され、前記はぜ部の内側面に係止されることを特徴としている。
【０００９】
係止部材は、板面の両側に上部から斜め下方に開口するように形成された係止爪により折板屋根材のはぜ部の内側面に係止されることで抜けが防止され、折板屋根材の内側に断熱材を確実に支持することが可能である。
【００１０】
また、本発明の請求項３に記載の折板屋根材の断熱材支持構造は、請求項１又は請求項２に記載の折板屋根材の断熱材支持構造において、前記係止部材はばね性を有する金属板の両側に上部から斜め下方に拡開するように前記はぜ部の長手方向に沿って交互に切り起こして複数の係止爪が形成され、前記はぜ部の内側面に係止されることを特徴としている。
【００１１】
係止部材は、ばね性を有する金属板の両側に上部から斜め下方に拡開するように前記はぜ部の長手方向に沿って交互に切り起こして複数の係止爪が形成されていることにより、はぜ部へ挿入する際に係止爪がばね力に抗して内側に押し込められ、はぜ部に挿入した後係止部が元の形状に復帰してはぜ部の内側面に係止される。これにより、はぜ部に係止部材を容易に挿入することができかつはぜ部から抜け出すことが防止される。
【００１２】
また、本発明の請求項４に記載の折板屋根材の断熱材支持構造は、請求項１乃至請求項３の何れかに記載の折板屋根材の断熱材支持構造において、前記支持部材は樹脂部材により形成されていることを特徴としている。
【００１３】
金属板により形成された折板屋根材のはぜ部に挿入係止された係止部材は、はぜ部から熱が伝達される。特に係止部材が金属部材で形成されている場合はぜ部と略同じ温度となり、夏は熱くなり冬は冷たくなる。支持部材は、樹脂部材で形成されていることで断熱性を有しており、係止部材と断熱材とを熱的に遮断する。これにより、押さえピンに起因する断熱効果の低下が阻止される。
【００１４】
また、本発明の請求項５に記載の折板屋根材の断熱材支持構造は、請求項１乃至請求項４に記載の折板屋根材の断熱材支持構造において、前記折板屋根材は３つの山部を有し、両側の２つの山部がそれぞれはぜ部の下部から切り欠かれて山部の片側半分をなす形状とされ、隣り合う折板屋根材のはぜ部同士が重ね合わされて山部を形成して接続可能とされ、前記断熱材は中央の山部のはぜ部に前記押さえピンにより支持されることを特徴としている。
【００１５】
中央の山部の両側に２つの半山部が形成され各山部の頂部にはぜ部が形成された折板屋根材の中央の山部のはぜ部に押さえピンの係止部材を係止させて断熱材を支持することで、折板屋根材に断熱材を容易に支持することができ、組付性が向上する。断熱材が取り付けられた折板屋根材は、隣り合う半山部のはぜ部が重なり合うように配置されて接続され１つの山部を形成する。このようにして順次折板屋根材が施工される。
【００１６】
また、本発明の請求項６に記載の折板屋根材の断熱材支持構造は、請求項５に記載の折板屋根材の断熱材支持構造において、前記折板屋根材の中央の山部のはぜ部は下側が長手方向に沿って僅かに開口する略円筒形状をなし、両側の山部のはぜ部は円筒の外側略下半分が切り欠かれた形状をなしていることを特徴としている。
【００１７】
折板屋根材の中央の山部の頂部に形成されたはぜ部は、下側に僅かに開口する略円筒形状をなしていることで下方から押さえピンの係止部材を挿入し、係止爪を内側面の下部に係止させる。これにより、はぜ部に係止部材を安定して係止することができる。断熱材が取り付けられた折板屋根材は、隣り合う半山部の円筒の外側略下半分が切り欠かれた形状をなしているはぜ部が重なり合うように配置されて接続されて中央部のはぜ部と同様の略円筒形状をなすはぜ部が形成されると共に１つの山部を形成する。このようにして順次折板屋根材が施工される。
【００１８】
また、本発明の請求項７に記載の折板屋根材の断熱材支持構造は、両端にはぜ部を有する折板屋根材の内側に断熱材を取り付けて支持する折板屋根材の断熱支持構造であって、前記断熱材は収納袋に断熱部材が収納された略マット状をなし、前記折板屋根材の内側に取り付けられて両側部に形成された耳部がそれぞれ前記はぜ部に貼着固定されていることを特徴としている。
【００１９】
折板屋根材の内側に略マット状をなす断熱材を取り付けてその両側の耳部を折板屋根材の両端のはぜ部に貼着して固定し、折板屋根材の内側を包むようにして断熱する。断熱材は、折板屋根材を形成したときに取り付けることが可能であり、施工性を向上することができる。
【００２０】
また、本発明の請求項８に記載の折板屋根材の断熱材支持構造は、請求項７に記載の折板屋根材の断熱材支持構造において、前記断熱材は、ポリエチレンフィルムで形成され一側面に通気用の小孔が多数形成された収納袋にグラスウール部材が収納されて形成されていることを特徴としている。
【００２１】
断熱材は、ポリエチレンフィルムで形成した収納袋にグラスウール部材を収納して形成することで軽量化が図られる。また、収納袋の一側面に通気用の小孔が多数形成されていることで折板屋根材を重ねたときに自重により内部の空気が押し出されて薄くなり、容積が小さくなり嵩張ることなく保管や搬送、施工作業等が容易である。
【発明の効果】
【００２２】
本発明によると、押さえピンにより折板屋根材の内側に支持することにより接着材を全く使用することなく折板屋根材の内側に断熱材を簡単に取り付けることができ、施工性に優れると共に熱や結露等による経年変化に起因して剥がれることがない。また、押さえピンにより折板屋根材の内側に断熱材を支持することができるために施工現場で簡単に組み付けることができ、搬送性、作業性が向上する。
【００２３】
また、係止部材は、板面の両側に上部から斜め下方に開口するように形成された係止爪により折板屋根材のはぜ部の内側面に係止されることで抜けが防止され、折板屋根材の内側に断熱材を強固に支持することが可能である。
【００２４】
また、支持部材を樹脂部材で形成することで係止部材と断熱材とを熱的に遮断することができ、押さえピンに起因する断熱効果の低下を阻止することが可能となる。
【００２５】
また、係止部材は、ばね性を有する金属板の両側に上部から斜め下方に拡開するように前記はぜ部の長手方向に沿って交互に切り起こして複数の係止爪が形成されていることで、はぜ部への挿入が容易となりかつはぜ部に挿入した後係止部がはぜ部の内側面に係止されることにより、組付性の向上が図られると共にはぜ部からの抜けが防止される。
【００２６】
また、押さえピンは、構造が簡単でありコストの低減が図られると共に取付作業性の向上が図られて工事費を抑えることが可能となり、経済性にも優れている。
【００２７】
また、折板屋根材の内側に略マット状の断熱材を取り付けて両側の耳部を折板屋根材の両端のはぜ部に貼着固定することで折板屋根材を製造したときに断熱材を取り付けることが可能となり、施工現場における作業性の向上が図られる。また、折板屋根材を重ねた際に断熱材の内部の空気が通気用の小孔から押し出されて薄く潰れて容積が小さくなるために多数重ねることが可能であり、保管や搬送、施工作業の向上等が図られる。
【発明を実施するための最良の形態】
【００２８】
以下、本発明の第１の実施形態に係る折板屋根材の断熱材支持構造について図面に基づいて説明する。図１は、折板屋根材１の内側（裏面）に断熱材８を取り付けて支持した状態の断面図を示し、折板屋根材１の内側に断熱材８が押さえピン１１により支持されている。折板屋根材１は、複数例えば３つの山部２，３，４からなり、中央の山部３は、左右両側に対称に傾斜する傾斜面３ａ，３ｂを有し、左右両側の山部２，４は、それぞれ外側半分が切り欠かれて内側半分の傾斜面２ｂ，４ａを有する形状とされ、各頂部には全長に亘りはぜ部２ｃ，３ｃ，４ｃが形成されている。
【００２９】
この折板屋根材１は、左側の山部２の中心から右側の山部４の中心まで所定の幅（例えば、６０cm程度）を有し、所定の長さ（例えば、１２ｍ程度）を有する長尺ものとされている。尚、左右の山部２，４は、それぞれ一側半分が欠けた半山部の形状をなしているが山部として説明する。
【００３０】
中央の山部３のはぜ部３ｃは、真下に僅かな幅のスリット状の開口部３ｄを有する略円筒形状をなし、両側の山部２，４のはぜ部２ｃ，４ｃは、それぞれ円筒の外側かつ下側部を切り取った略１／４程度開口する開口部２ｄ，４ｄを有する形状とされている。また、山部２，３，４の間の谷部５，６は、これらの山部の傾斜面２ｂと３ａ、３ｂと４ａの下端部と僅かな段差５ａ，６ａをなしかつ平坦な平面をなしている。これらの段差５ａ，６ａは、断熱部材８とのずれを防止するためのものである。かかる形状の折板屋根材１は、耐銹性に優れた例えばガルバリウム鋼板で形成されている。
【００３１】
断熱材８は、折板屋根材１と同じ幅を有し、所定の長さ（例えば、１.２ｍ程度）を有する厚板（例えば、８cm程度）をなし、上面８ａの各谷部５，６と対応する位置にこれらと嵌合する凹部８ｂ，８ｃが形成されている。凹部８ｂ、及び凹部８ｃの各開口部は、両側の山部２，３の対応する傾斜面２ｂ，３ａ及び山部３，４の対応する傾斜面３ｂ，４ａの下部と当接可能な傾斜面とされかつ両側部が段差５ａ，６ａと係合可能とされている。
【００３２】
これにより、断熱材８は、図示のように折板屋根材１の山部２，３，４及び谷部５，６に嵌合して密着かつずれることなく取り付けることが可能となる。断熱材８は、山部２〜４と対応する上部（山部）が切り取られて略平板形状をなしていることによる断熱効果への影響はなく、むしろ搬送する際に密に重ねることができ、搬送効率の向上が図られて好ましい。
【００３３】
断熱材８は、中央の山部３のはぜ部３ｃの真下に開口する開口部３ｄと対応する所定の位置に押さえピン１１を挿通するための挿通孔８ｄが形成されており、下面８ｅの挿通孔８ｄの周縁部が窪んで凹部８ｆが形成されて押さえピン１１の支持部材１２の垂直部１２ａを収容可能とされている。この挿通孔８ｄは、長手方向に少なくとも１個形成されている。尚、挿通孔８ｄは、長手方向に沿って複数形成しても良い。
【００３４】
また、断熱材８は、一側の側面８ｇの中央部から下側半分の側面８ｇ’が内側に所定寸法ｄ（例えば、５ｍｍ程度）だけテーパ状に入り込むテーパ面をなして形成され、他側の側面８ｈの中央部から下側半分の側面８ｈ’が外側に前記所定寸法ｄだけテーパ状に突き出るテーパ面をなして形成されている。これにより、左右の隣り合う断熱材８の対向する側面８ｇ，８ｈ同士を当接係止させて相互に支え合うようにしている。この断熱材８は、例えば発泡ポリスチレンにより一体に形成されている。
【００３５】
押さえピン１１は、支持部材１２とこの支持部材１２の先端（上端）に設けられた係止部材１３とからなる。図２に示すように支持部材１２は、垂直部１２ａがはぜ部３ｃの長手方向に沿って幅広い平板状をなし、垂直部１２ａの基端部（下端部）に全幅に亘り支持部１２ｂが図３に示すように両側に水平（直角）に張り出した略逆Ｔ字形状をなしている。この支持部材１２は、例えば断熱効果を有する樹脂部材により形成されている。尚、支持部材１２は、樹脂部材に限るものではなく、金属部材で形成しても良い。
【００３６】
係止部材１３は、支持部材１２の幅と同じ又は僅かに幅広いばね性を有する金属板（板バネ部材）により形成されており、その板面に幅方向に沿って複数例えば３つの係止爪１３ａ，１３ｂ，１３ｃが上部近傍から斜め下方（支持部材１２側）に向けて両側にかつはぜ部３ｃの長手方向に沿って交互に切り起こし成形により形成されて延出している。
【００３７】
例えば図２に示す左右両側の２つの係止爪１３ａと１３ｃは、図３に示すように一側（図中左側）に斜め下方に向かって切り起こされ、図２に示す中央の係止爪１３ｂは、図３に示すように他側（図中右側）に斜め下方に向かって切り起こされて側面から見て略矢尻状に形成されている。係止部材１３としてばね性を有する金属板を使用することにより、板厚が薄くかつ強固な係止爪を有する軽量な係止部材を形成することが可能である。また、経年変化等に起因する耐久性も優れている。
【００３８】
図２に示すように係止部材１３は、その長さＬが円筒形状をなすはぜ部３ｃの内径よりも十分に長く設定され、高さＨがはぜ部３ｃの内径よりも僅かに高く設定されている。図３に示すように係止爪１３ａ，１３ｂ，１３ｃの長さは、はぜ部３ｃの半径よりも長く形成され、左側の係止爪１３ａ，１３ｃの下端（先端）１３ａ’，１３ｃ’と右側の係止爪１３ｂの下端（先端）１３ｂ’間の幅Ｗがはぜ部３ｃの内径程度或いは内径よりも僅かに狭く設定されている。
【００３９】
そして、係止部材１３の上端１３ｄがはぜ部３ｃの内面の頂部に当接したときに係止爪１３ａ，１３ｂ，１３ｃの各下端１３ａ’，１３ｂ’，１３ｃ’がはぜ部３ｃの中心よりも下方位置の内面にばね性を有して当接可能とされている。この係止部材１３は、基端部（下端部）１３ｅが支持部材１２の上端面に形成されたスリット１２ｃに嵌合されて固定されている。
【００４０】
従って、図１に示すように断熱材８の挿通孔８ｄは、長さが係止部材１３の長さよりも僅かに長くかつ平板状の支持部材１２の板厚よりも僅かに幅広の例えばスリット状に形成されている。挿通孔８ｄの幅は、係止部材１３を挿通させる際に係止爪１３ａ〜１３ｃをばね性に抗して内側に押し込むことができるため支持部材１２の板厚よりも僅かに幅広であれば良い。
【００４１】
尚、押さえピン１１は、支持部材１２と係止部材１３とを金属部材により一体に形成しても良く、或いは弾性を有する樹脂部材により一体に形成しても良い。押さえピン１１を樹脂部材により一体に形成した場合には係止部材の板面の両側に全長に亘り長い係止爪を形成することが可能であり、係止力の向上を図ることが可能である。
【００４２】
以下に押さえピン１１により断熱材８を折板屋根材１の内側（裏面）に取り付けて支持する場合について説明する。図１に示すように折板屋根材１の内側に断熱材８を配置して上面８ａの各凹部８ｂ，８ｃに折板屋根材１１の谷部５，６を嵌合する。次に、断熱材８の挿通孔８ｄに押さえピン１１の係止部材１３、支持部材１２を挿入する。このとき係止部材１３の係止爪１３ａ〜１３ｃは、挿通孔８ｄの内面によりばね力に抗して内側に押し込められて当該内面を摺動しながら挿入される。
【００４３】
押さえピン１１が押し込められるに伴い係止部材１３及び支持部材１２の上部が挿通孔８ｄを貫通し、係止部材１３の各係止爪１３ａ〜１３ｃがばね性により元の形状に復帰する。押さえピン１１が更に押し込められると図４に示すように係止部材１３の上端１３ｄがはぜ部３ｃのスリット状に開口している開口部３ｄから中に入り込む。そして、押さえピン１１が押し込められるに伴い係止爪１３ａ〜１３ｃが開口部３ｄの両側部によりばね性に抗して内側に押し込められて当該開口部３ｄを挿通する。
【００４４】
そして、図５に示すように係止部材１３の上端１３ｄがはぜ部３ｃの内面頂部に突き当たり当接したときに押さえピン１１の挿入が停止される。この状態において係止部材１３の一側の係止爪１３ａ，１３ｃの下端１３ａ’，１３ｃ’がはぜ部３ｃの対応する側の内面にばね性を有して当接係止され、他側の係止爪１３ｂの下端１３ｂ’がはぜ部３ｃの対応する側の内面にばね性を有して当接係止される。即ち、係止部材１３は、円筒形状のはぜ部３ｃの内面に上端１３ｄと斜め下方に両側に延出する係止爪１３ａ，１３ｃの下端１３ａ’，１３ｃ’と係止爪１３ｂの下端１３ｂ’との三辺で係止されて上下左右にずれることなく支持される。
【００４５】
そして、図１に示すように支持部材１２の支持部１２ｂが断熱材８の挿通孔８ｄの周縁部に形成された凹部８ｆに収容されその上面が凹部８ｆの下面に当接する。この状態において断熱材８の凹部８ｂ，８ｃが折板屋根材１の谷部５，６の内側面（裏面）に当接する。
【００４６】
押さえピン１１は、図２に示すように係止部材１３の長さＬが略円筒形状をなすはぜ部３ｃの内径よりも十分に長く形成されていることによりはぜ部３ｃ内で長手方向に対する回転が防止される。更に図５に示すように係止部材１３の上端１３ｄがはぜ部３ｃの内側面の頂部に当接し、係止爪１３ａ，１３ｂ，１３ｃが長手方向に沿って板面の両側に交互に張り出し、下端部１３ａ’，１３ｂ’，１３ｃ’がはぜ部３ｃの中心よりも下方位置においてはぜ部３ｃの内側面にばね性を有して突っ張るように当接し、係止爪１３ａ〜１３ｃの長さがはぜ部３ｃの半径よりも長く形成されかつ上部近傍から斜め下方に向かって外側に開くように形成されていることで、下方への力が作用した場合でもずれたり反り返ることが防止されてはぜ部３ｃから外れる（抜け出る）ことが防止される。これにより、押さえピン１１が折板屋根材１のはぜ部３ｃから外れることが防止され断熱材８を確実に固定して支持することができる。
【００４７】
このように接着材を全く使用することなく折板屋根材１の内側に断熱材８を簡単に取り付けることができる。従って、施工性に優れると共に熱や結露等による経年変化に起因して剥がれることがない。また、支持部材１２が樹脂部材で形成されていることではぜ部３ｃから金属部材で形成された係止部材１３に伝達された熱が遮断されて断熱効果が得られる。更に折板屋根材１への断熱材８の取付作業は、施工現場で容易に行うことができるため折板屋根材１及び断熱材８の施工現場への搬送が容易である。
【００４８】
このようにして断熱材８が取り付けられた折板屋根材１は、図６に示すように折板屋根材１を載置するために当該折板屋根材１の長手方向を横切るように前後方向に所定の間隔で配置された母屋１５に載置される。そして、母屋１５の上面１５ａに所定の間隔（はぜ部２ｃ，３ｃ，４ｃの間隔例えば３０cm）で基端部１６ａが固定されて垂設されたタイトフレーム１６の上端に形成された係止部１６ｂが断熱材８の挿通孔８ｉを挿通して当該折板屋根材１のはぜ部２ｃ，３ｃ，４ｃ内に挿入されて内側から固定される。そして、押さえピン１１は、前記所定の間隔で配置された各母屋１５に垂設されてはぜ部３ｃを固定するタイトフレーム１６の間に配置されている。
【００４９】
左右の隣り合う折板屋根材１は、両側のはぜ部２ｃ，４ｃが重ね合わされてカシメ固定される。尚、はぜ部２ｃ，４ｃも図示しないタイトフレームにより母屋１５に固定される。即ち、図６に示す折板屋根材１の左側のはぜ部２ｃが左側に隣接配置されている図示しない折板屋根材の右側のはぜ部（はぜ部４ｃに相当）の上側に被せられて母屋１５上に載置される。
【００５０】
そして、断熱材８の左側面８ｇのテーパ状をなす側面８ｇ’が前記左側に配置されている折板屋根材の断熱材の右側面のテーパ状をなす側面（側面８ｈのテーパ状をなす側面８ｈ’に相当）に重なって当接する。そして、前記左側に配置されている折板屋根材の右側の半山をなす傾斜面（傾斜面４ａに相当）と折板屋根材１の左側の半山をなす傾斜面２ｂとにより山部３と同様の山形をなす山部が形成される。
【００５１】
同様にして折板屋根材１の右側のはぜ部４ｃが右側に配置される図示しない折板屋根材の左側のはぜ部（はぜ部２ｃに相当）に被せられ、当該折板屋根材の断熱材の左側面のテーパ状をなす側面（側面８ｇのテーパ状をなす側面８ｇ’に相当）が折板屋根材１の断熱材８の右側面８ｈのテーパ状をなす側面８ｈ’に重なって当接する。折板屋根材１の左側の半山形をなす傾斜面４ａと前記右側に配置される折板屋根材の左側の半山形をなす傾斜面（傾斜面２ｂに相当）とにより山部３と同様の山部が形成される。尚、左右の重なり合うはぜ部２ｃ，４ｃも前記タイトフレームにより固定される。そして、これらの重なり合うはぜ部２ｃ，４ｃをカシメ機により中央のはぜ部３ｃと同様の略円筒形状にカシメ固定する。これにより折板屋根材の施工が終了する。
【００５２】
図７は、本発明の第２の実施形態に係る折板屋根材の断熱材支持構造を示す。折板屋根材２１は、左右両側の２つの山部２２，２３とこれらの山部２２と２３とに挟まれた１つの谷部２４からなる。左右両側の山部２２，２３は、それぞれ外側半分が切り欠かれて内側半分の傾斜面２２ｂ，２３ａを有する形状とされ、各頂部には全長に亘りはぜ部２２ｃ，２３ｃが形成されている。そして、折板屋根材２１の裏面（内側面）に前面に亘り結露防止用の断熱材２５が裏張りされている。この断熱材２５としては例えばポリエチレンフォームがある。
【００５３】
尚、左右の山部２２，２３は、それぞれ外側（一側）半分が欠けた半山形状をなしているが山部として説明する。また、はぜ部２２ｃ，２３ｃは、図１に示すはぜ部２ｃ，４ｃと略同様に形成されている。
【００５４】
断熱材３１は、図８の断面図に示すように樹脂フィルム、例えばポリエチレンフィルムで形成された収納袋（ケース）３２に断熱部材としてのグラスウール部材３３が収納されて略長方体をなすマット状に形成されている。この断熱材３１は、長さが折板屋根材２１の長さと略同じ長さとされ、横幅が図７に示すように折板屋根材２１の内側（下側）全体を覆い、厚さが５０ｍｍ〜１００ｍｍ程度とされている。
【００５５】
そして、収納袋３２の上面３２ａには通気用の小孔３２ｃが多数形成されている。また、下面３２ｂの両側部３２ｄは、長手方向の全長に亘り側方に張り出して形成されており、取付用の耳部（以下「耳部３２ｄ」という）とされている。尚、断熱材３１の厚さは、仕様に応じて適宜の厚さに設定すれば良い。また、断熱部材は、グラスウールの他に例えばロックウールがある。
【００５６】
そして、図７に示すように断熱材３１の収納袋３２の上面３２ａを折板屋根材２１に裏張りされている断熱部材２５側に向けて配置し、両側の耳部３２ｄを折板屋根材２１のはぜ部２２ｃ，２３ｃの下部（垂直部）２２ｃ’，２３ｃ’に接着材により貼着して固定する。この状態においてマット状をなす断熱材３１は、中央の谷部２４を包みコンで垂れ下がる。この断熱材３１は、折板屋根材２１を製造したときに取り付けられる。これにより、施工現場における断熱材３１の取付作業を無くすことができ作業性の向上が図られる。
【００５７】
断熱材３１は、グラスウール部材３３をポリエチレンフィルムで形成された収納袋３２に収納して形成されていることで軽量化が図られる。また、断熱材３１は、折板屋根材２１を重ねたときにその重みで通気用の多数の小孔３２ｃから内部の空気が押し出されて薄く潰されて容積が小さくなり、保管や搬送が容易である。また、重みが外されると通気用の小孔３２ｃから空気が入り込んで膨らみ断熱効果が得られる。
【００５８】
図７に示すように断熱材３１を取り付けた折板屋根材２１を図示しない梁に載置し、左側のはぜ部２２ｃの所定箇所を図示しないタイトフレームの上端に形成された係止部で覆うようにして固定する。次いで、当該折板屋根材２１の図中左側に配置した図示しない折板屋根材の右側のはぜ部（はぜ部２３ｃに相当）を、前記折板屋根材２１の左側のはぜ部２２ｃ及び前記タイトフレームに被せて装着し、これらを一体にカシメて固定する。このようにして順次折板屋根材２１を施工する。
【００５９】
隣り合う折板屋根材２１の断熱材３１は、前記カシメにより各両側の耳部３２ｄがそれぞれ対向するはぜ部２２ｃの下部（垂直部）２２ｃ’とはぜ部２３ｃの下部（垂直部）２３ｃ’とに挟まれて密着固定される。従って、断熱材３１の耳部３２ｄは、はぜ部２２ｃ，２３ｃの下部２２ｃ’，２３ｃ’に接着材とカシメによる挟み力とにより折板屋根材２１に固定されて支持される。また、隣り合う断熱材３１は、両側の耳部３２ｄ近傍の上部が当接して隙間が塞がれる。これにより、折板屋根材２１の断熱効果が確保される。
【図面の簡単な説明】
【００６０】
【図１】本発明の第１の実施形態に係る折板屋根材の内側に断熱材を取り付けて支持した状態の断面図である。
【図２】図１に示した折板屋根材に断熱材を支持するための押さえピンの正面図である。
【図３】図２に示した押さえピンの側面図である。
【図４】図１に示した断熱材に押さえピンを挿通してその先端の係止部材を折板屋根材のはぜ部に挿入する状態の説明図である。
【図５】図４に示した押さえピンの係止部材をはぜ部に挿入して係止した状態の説明図である。
【図６】図１に示した折板屋根材を使用して屋根を葺く場合の説明図である。
【図７】本発明の第２の実施形態に係る折板屋根材の内側に断熱材を取り付けた状態の端面図である。
【図８】図７に示した断熱材の断面図である。
【符号の説明】
【００６１】
１    折板屋根材
２，３，４    山部
２ｂ，３ａ，３ｂ，４ａ    傾斜面
２ｃ，３ｃ，４ｃ    はぜ部
２ｄ，３ｄ，４ｄ    開口部
５，６    谷部
５ａ，６ａ    段差
８    断熱材
８ａ    上面
８ｂ，８ｃ    凹部
８ｄ，８ｉ    挿通孔
８ｅ    下面
８ｆ    凹部
８ｇ，８ｈ    側面
８ｇ’，８ｈ’    側面（テーパ面）
１１    押さえピン
１２    支持部材
１２ａ    垂直部
１２ｂ    支持部
１２ｃ    スリット
１３    係止部材
１３ａ，１３ｂ，１３ｃ    係止爪
１３ａ’，１３ｂ’，１３ｃ’    下端
１３ｄ    上端
１３ｅ    基端部
１５    母屋
１５ａ    上面
１６    タイトフレーム
１６ａ    基端部
１６ｂ    係止部
Ｌ    係止部材の長さ
Ｈ    係止部材の高さ
Ｗ    係止部材の係止爪の幅
２１    折板屋根材
２２，２３    山部
２２ｃ，２３ｃ    はぜ部
２２ｂ，２３ａ    傾斜面
２２ｃ’，２３ｃ’    はぜ部の下部（垂直部）
２４    谷部
２５    断熱部材
３１    断熱材
３２    収納袋
３２ａ    上面
３２ｂ    下面
３２ｃ    小孔
３２ｄ    耳部（側部）
３３    グラスウール部材（断熱部材）
【図１】
2008002129.tif 000003
【図２】
2008002129.tif 000004
【図３】
2008002129.tif 000005
【図４】
2008002129.tif 000006
【図５】
2008002129.tif 000007
【図６】
2008002129.tif 000008
【図７】
2008002129.tif 000009
【図８】
2008002129.tif 000010